(57)【要約】  本開示は、測光方法、測光装置、端末、プログラム及び記録媒体に関する。なお、測光方法は、ユーザにより入力された、測光領域に位置するタッチスポットを取得するステップと、タッチパネルで表示される画像全体において上記タッチスポットを含む初期測光領域を特定するステップと、上記初期測光領域が含む画像を分割し、測光を行う必要のない背景領域と上記タッチスポットを含む最終的に測光領域となる目標領域とに分割するステップと、上記目標領域内の画像点に対して測光を行うステップと、を含む。本開示によれば、測光の精確性を向上させることができる。【選択図】図２
2016535307.tif 000002
【特許請求の範囲】
【請求項１】
ユーザにより入力された、測光領域に位置するタッチスポットを取得するステップと、
タッチパネルで表示される画像全体において、上記タッチスポットを含む初期測光領域を特定するステップと、
上記初期測光領域に含まれる画像を分割し、測光を行う必要のない背景領域と上記タッチスポットを含む最終的に測光領域となる目標領域とに分割するステップと、
上記目標領域内の画像点に対して測光を行うステップと、を含む
ことを特徴とする測光方法。
【請求項２】
上記初期測光領域に含まれる画像を分割し、測光を行う必要のない背景領域と上記タッチスポットを含む最終的に測光領域となる目標領域とに分割するステップは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するステップと、
最小の色距離に対応する第１の付与待ちスポットを取得するステップと、
上記第１の付与待ちスポットと上下左右方向に隣接する付与済みスポットの属性に基づいて、上記第１の付与待ちスポットの属性を決定し、第２の付与済みスポットを生成するステップと、
上記第Ｎ（Ｎが２以上の自然数）の付与済みスポットと上下左右方向に隣接する属性付与待ちの付与待ちスポットと上記第Ｎの付与済みスポットとの間の色距離を計算するステップと、
最小の色距離に対応する第Ｎの付与待ちスポットを取得するステップと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するステップと、を含む
ことを特徴とする請求項１に記載の方法。
【請求項３】
上記第Ｎの付与待ちスポットと上下左右方向に隣接する付与済みスポットの属性に基づいて、上記第Ｎの付与待ちスポットの属性を決定するステップは、
上記第Ｎの付与待ちスポットと上下左右方向に隣接する付与済みスポットが目標領域スポット及び背景領域スポットの両方とも含むか否かを判断するステップと、
目標領域スポット及び背景領域スポットの両方とも含むと、上記第Ｎの付与待ちスポットを分割スポットと決定し、さもなければ、続いて、上記第Ｎの付与待ちスポットと上下左右方向に隣接する付与済みスポットが目標領域スポットのみであるか否かを判断するステップと、
目標領域スポットのみであると、上記第Ｎの付与待ちスポットを目標領域スポットと決定し、さもなければ、上記第Ｎの付与待ちスポットを背景領域スポットと決定するステップとを含む
ことを特徴とする請求項２に記載の方法。
【請求項４】
上記のタッチパネルで表示される画像全体において、上記タッチスポットを含む初期測光領域を特定するステップは、
上記タッチパネルで表示される画像全体において、上記タッチスポットを含む１〜８％の領域を上記初期測光領域として特定するステップを含む
ことを特徴とする請求項１〜３の何れか一項に記載の方法。
【請求項５】
ユーザにより入力された、測光領域に位置するタッチスポットを取得するためのタッチスポット取得モジュールと、
タッチパネルで表示される画像全体において、上記タッチスポットを含む初期測光領域を特定するための初期測光領域特定モジュールと、
上記初期測光領域に含まれる画像を分割し、測光を行う必要のない背景領域と上記タッチスポットを含む最終的に測光領域となる目標領域とに分割するための画像分割モジュールと、
上記目標領域内の画像点に対して測光を行うための測光モジュールとを含む
ことを特徴とする測光装置。
【請求項６】
上記画像分割モジュールは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するための第１の色距離計算ユニットと、
最小の色距離に対応する第１の付与待ちスポットを取得するための第１の付与待ちスポット取得ユニットと、
上記第１の付与待ちスポットと上下左右方向に隣接する付与済みスポットの属性に基づいて、上記第１の付与待ちスポットの属性を決定し、第２の付与済みスポットを生成するための第１の付与待ちスポット属性決定ユニットと、
上記第Ｎ（Ｎが２以上の自然数）の付与済みスポットと上下左右方向に隣接する属性付与待ちの付与待ちスポットと上記第Ｎの付与済みスポットとの間の色距離を計算するための第Ｎの色距離計算ユニットと、
最小の色距離に対応する第Ｎの付与待ちスポットを取得するための第Ｎの付与待ちスポット取得ユニットと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するための第Ｎの付与待ちスポット属性決定ユニットと、を含む
ことを特徴とする請求項５に記載の装置。
【請求項７】
上記第Ｎの付与待ちスポット属性決定ユニットは、第１の判断サブユニット、分割スポット決定サブユニット、第２の判断サブユニット、目標領域スポット決定サブユニット及び背景領域スポットサブユニットを含み、
第１の判断サブユニットは、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、分割スポット決定サブユニットをトリガーし、さもなければ、第２の判断サブユニットをトリガーし、
上記分割スポット決定サブユニットは、目標領域スポット及び背景領域スポットの両方とも含むと、上記第Ｎの付与待ちスポットを分割スポットと決定し、
上記第２の判断サブユニットは、続いて、上記第Ｎの付与待ちスポットと上下左右方向に隣接する付与済みスポットが目標領域スポットのみであるか否かを判断し、目標領域スポットのみであると、目標領域スポット決定サブユニットをトリガーし、さもなければ、背景領域スポットサブユニットをトリガーし、
上記目標領域スポット決定サブユニットは、上記第Ｎの付与待ちスポットを目標領域スポットと決定し、
上記背景領域スポットサブユニットは、上記第Ｎの付与待ちスポットを背景領域スポットと決定する
ことを特徴とする請求項６に記載の装置。
【請求項８】
上記初期測光領域特定モジュールは、上記タッチパネルで表示される画像全体において、上記タッチスポットを含む１〜８％の領域を上記初期測光領域として特定する
ことを特徴とする請求項５〜７の何れか一項に記載の装置。
【請求項９】
プロセッサと、
プロセッサが実行可能な指令を記憶するためのメモリと、を含み、
上記プロセッサは、
ユーザにより入力された、測光領域に位置するタッチスポットを取得し、
タッチパネルで表示される画像全体において、上記タッチスポットを含む初期測光領域を特定し、
上記初期測光領域に含まれる画像を分割し、測光を行う必要のない背景領域と上記タッチスポットを含む最終的に測光領域となる目標領域とに分割し、
上記目標領域内の画像点に対して測光を行うように配置される
ことを特徴とする端末。
【発明の詳細な説明】
【相互参照】
【０００１】
本願は、出願番号がＣＮ２０１４１０３７３７１７．０であって、出願日が２０１４年７月３１日である中国特許出願に基づき優先権を主張し、当該中国特許出願のすべての内容を本願に援用する。
【技術分野】
【０００２】
本開示は、端末技術分野に関し、特に、測光方法及び測光装置に関する。
【背景技術】
【０００３】
測光は、被写体の輝度を測定する過程であり、カメラが自動的に露出することによりフィルムに現像する基礎であり、精確な測光及び正確な測光方式の選択は、撮影創作の起点となる。
【０００４】
デジタルカメラを例として、デジタルカメラの測光システムの測光方式は、一般的にＴＴＬ（ＴｈｒｏｕｇｈＴｈｅ Ｌｅｎｓ）を採用する。測光センサーは、撮影光路に置かれ、反射ミラーから測光素子に反射された光に対して測光を行う。測定した光の強度データがカメラのプロセッサに伝送され、自動露出による計算がされた後、露出の組み合わせ、即ち、撮影の絞り及びシャッター速度の組み合わせを決定する。測光方式は、測光センサーが撮影範囲内で測定する異なる領域、面積の大きさ及び計算用重みの差異に基づいて、平均測光、中央重点測光、スポット測光、マトリックス測光等のモードに分けられる。
【０００５】
なお、スポット測光（Ｓｐｏｔ ｍｅｔｅｒｉｎｇ）の測光範囲は、ファインダー画面中央の画面全体の面積の約１〜３％を占める領域である。スポット測光は、基本的に測光領域外の他の景物の輝度により影響されない。よって、スポット測光を利用して被写体或いは背景の各領域を便利に検出できる。
【０００６】
タッチパネル技術の成熟及びそれの幅広い応用に伴って、タッチパネルが搭載されたカメラ及びスマートフォンにおいて、ユーザは、必ずしも中央の位置を選択する必要はなく、プレビュー画面上の任意のスポットをクリックすることによりピント合わせの位置を選択でき、スポット測光の作用及び容易性を大幅に向上させた。
【０００７】
スポット測光の従来技術において、まず、測光スポットを確認し、測光スポットは、プレビュー画面の中央スポットであってもよく、或いはユーザがタッチパネルを介して選択されたプレビュー画面上の任意のスポットであってもよい。そして、当該測光スポットを中心に矩形或いは円形の領域を形成するが、当該領域が境界に当たれば中心領域に移動させるようにする。測光を行う場合、測光範囲は当該領域である。図１に示す撮影場面を例とし、ユーザがタッチパネル上の人物の左手（図における白いスポットの位置）をクリックし、手を測光スポットとする場合、測光領域は、図における白枠領域である。
【０００８】
しかしながら、上記スポット測光の技術案において、実際の測光結果がユーザの本意と大きく異なる可能性がある。図１に示すように、ユーザがもともと左手の皮膚領域を測光範囲として測光を行おうとしたが、実際の測光範囲が左手の皮膚領域と共に左手の袖口と右手の袖口部位の服装部分を含む。服装部分の輝度が測光範囲における左手の肌色の輝度と近い場合、服装部分が最終的な測光結果に対する影響が少ないが、服装部分の色が左手の肌色と大きく異なる場合、最終的な測光結果に対して大きい影響を与え、この場合、測光結果により露出の組み合わせを調整した後のイメージの輝度が予想より暗くなる。
【発明の概要】
【０００９】
従来技術において存在する問題を解決するために、本開示は、測光方法及び測光装置を提供し、測光の精確性を向上させることができる。
【００１０】
本開示の実施例の第１方面によれば、測光方法を提供し、当該測光方法は、
ユーザにより入力された、測光領域に位置するタッチスポットを取得するステップと、
タッチパネルで表示される画像全体において、上記タッチスポットを含む初期測光領域を特定するステップと、
上記初期測光領域に含まれる画像を分割し、測光を行う必要のない背景領域と上記タッチスポットを含む最終的に測光領域となる目標領域とに分割するステップと、
上記目標領域内の画像点に対して測光を行うステップと、を含む。
【００１１】
さらに、上記初期測光領域に含まれる画像を分割し、測光を行う必要のない背景領域と上記タッチスポットを含む最終的に測光領域となる目標領域とに分割するステップは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するステップと、
最小の色距離に対応する第１の付与待ちスポットを取得するステップと、
上記第１の付与待ちスポットと上下左右方向に隣接する付与済みスポットの属性に基づいて、上記第１の付与待ちスポットの属性を決定し、第２の付与済みスポットを生成するステップと、
上記第Ｎ（Ｎが２以上の自然数）の付与済みスポットと上下左右方向に隣接する属性付与待ちの付与待ちスポットと上記第Ｎの付与済みスポットとの間の色距離を計算するステップと、
最小の色距離に対応する第Ｎの付与待ちスポットを取得するステップと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するステップと、を含む。
【００１２】
さらに、上記第Ｎの付与待ちスポットと上下左右方向に隣接する付与済みスポットの属性に基づいて、上記第Ｎの付与待ちスポットの属性を決定するステップは、
上記第Ｎの付与待ちスポットと上下左右方向に隣接する付与済みスポットが目標領域スポット及び背景領域スポットの両方とも含むか否かを判断するステップと、
目標領域スポット及び背景領域スポットの両方とも含むと、上記第Ｎの付与待ちスポットを分割スポットと決定し、さもなければ、続いて、上記第Ｎの付与待ちスポットと上下左右方向に隣接する付与済みスポットが目標領域スポットのみであるか否かを判断するステップと、
目標領域スポットのみであると、上記第Ｎの付与待ちスポットを目標領域スポットと決定し、さもなければ、上記第Ｎの付与待ちスポットを背景領域スポットと決定するステップとを含む。
【００１３】
さらに、上記のタッチパネルで表示される画像全体において、上記タッチスポットを含む初期測光領域を特定するステップは、
上記タッチパネルで表示される画像全体において、上記タッチスポットを含む１〜８％の領域を上記初期測光領域として特定するステップを含む。
【００１４】
本開示の実施例の第２方面によれば、測光装置を提供し、当該測光装置は、
ユーザにより入力された、測光領域に位置するタッチスポットを取得するためのタッチスポット取得モジュールと、
タッチパネルで表示される画像全体において、上記タッチスポットを含む初期測光領域を特定するための初期測光領域特定モジュールと、
上記初期測光領域に含まれる画像を分割し、測光を行う必要のない背景領域と上記タッチスポットを含む最終的に測光領域となる目標領域とに分割するための画像分割モジュールと、
上記目標領域内の画像点に対して測光を行うための測光モジュールとを含む。
【００１５】
さらに、上記画像分割モジュールは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するための第１の色距離計算ユニットと、
最小の色距離に対応する第１の付与待ちスポットを取得するための第１の付与待ちスポット取得ユニットと、
上記第１の付与待ちスポットと上下左右方向に隣接する付与済みスポットの属性に基づいて、上記第１の付与待ちスポットの属性を決定し、第２の付与済みスポットを生成するための第１の付与待ちスポット属性決定ユニットと、
上記第Ｎ（Ｎが２以上の自然数）の付与済みスポットと上下左右方向に隣接する属性付与待ちの付与待ちスポットと上記第Ｎの付与済みスポットとの間の色距離を計算するための第Ｎの色距離計算ユニットと、
最小の色距離に対応する第Ｎの付与待ちスポットを取得するための第Ｎの付与待ちスポット取得ユニットと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するための第Ｎの付与待ちスポット属性決定ユニットと、を含む。
【００１６】
さらに、上記第Ｎの付与待ちスポット属性決定ユニットは、第１の判断サブユニット、分割スポット決定サブユニット、第２の判断サブユニット、目標領域スポット決定サブユニット及び背景領域スポットサブユニットを含み、
第１の判断サブユニットは、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、分割スポット決定サブユニットをトリガーし、さもなければ、第２の判断サブユニットをトリガーし、
上記分割スポット決定サブユニットは、目標領域スポット及び背景領域スポットの両方とも含むと、上記第Ｎの付与待ちスポットを分割スポットと決定し、
上記第２の判断サブユニットは、続いて、上記第Ｎの付与待ちスポットと上下左右方向に隣接する付与済みスポットが目標領域スポットのみであるか否かを判断し、目標領域スポットのみであると、目標領域スポット決定サブユニットをトリガーし、さもなければ、背景領域スポットサブユニットをトリガーし、
上記目標領域スポット決定サブユニットは、上記第Ｎの付与待ちスポットを目標領域スポットと決定し、
上記背景領域スポットサブユニットは、上記第Ｎの付与待ちスポットを背景領域スポットと決定する。
【００１７】
さらに、上記初期測光領域特定モジュールは、上記初期測光領域特定モジュールは、上記タッチパネルで表示される画像全体において、上記タッチスポットを含む１〜８％の領域を上記初期測光領域として特定する。
【００１８】
本開示の実施例の第３方面によれば、端末を提供し、当該端末は、
プロセッサと、
プロセッサが実行可能な指令を記憶するためのメモリと、を含み、
上記プロセッサは、
ユーザにより入力された、測光領域に位置するタッチスポットを取得し、
タッチパネルで表示される画像全体において、上記タッチスポットを含む初期測光領域を特定し、
上記初期測光領域に含まれる画像を分割し、測光を行う必要のない背景領域と上記タッチスポットを含む最終的に測光領域となる目標領域とに分割し、
上記目標領域内の画像点に対して測光を行うように配置される。
【００１９】
本開示の実施例が提供する技術案は、以下の有益な効果を含む。測光を行う過程で、まず、ユーザにより入力された測光領域に位置するタッチスポットを取得し、そして、タッチパネルで表示される画像全体において上記タッチスポットを含む初期測光領域を特定し、初期測光領域に含まれる画像を分割することにより、測光を行う必要のない背景領域と上記タッチスポットを含む最終的に測光領域となる目標領域とに分割し、最終的に、目標領域内の画像スポットに対して測光を行う。初期測光領域を測光を行う必要のない背景領域と上記タッチスポットを含む最終的に測光領域となる目標領域とに分割し、最終的に目標領域内の画像スポットのみに対して測光を行うため、測光のときに背景領域内の画像スポットが目標領域内の画像スポットに対して必要のない影響を与えることを避けられ、目標領域内の画像スポットに対して測光を行う精確性を大幅に向上させる。
【００２０】
以上の一般的な記述及び以下の詳細な記述は、例示のものに過ぎず、本開示を限定するものではないと理解すべきである。
【図面の簡単な説明】
【００２１】
ここでの図面は、明細書の一部分として明細書全体を構成することにより、本開示に合致する実施例を例示するとともに、本開示の原理を解釈するためのものである。
【図１】本開示における１つの撮影場面を示す模式的な図である。
【図２】本開示の実施例における測光方法を示す例示的なフローチャートである。
【図３】本開示における初期測光領域を示す模式的な図である。
【図４】本開示におけるステップＳ２０３を実現する模式的なフローチャートである。
【図５】本開示における第Ｎの付与待ちスポットの属性を決定する模式的なフローチャートである。
【図６】本開示における図１における初期測光領域を決定する模式的な図である。
【図７】本開示における図１における目標領域を決定する模式的な図である。
【図８】本開示の実施例の測光装置のブロック図である。
【図９】図８における画像分割モジュールを実現する構造を示す模式的な図である。
【図１０】図９における第Ｎの付与待ちスポット属性決定ユニットを実現する構造を示す模式的な図である。
【図１１】本開示の実施例における端末機器の実施例のブロック図である。
【発明を実施するための形態】
【００２２】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２３】
図２は、例示的な実施例における測光方法を示すフローチャートであり、図２に示すように、測光方法は、端末に適用され、以下のステップを含む。
【００２４】
ステップＳ２０１において、ユーザにより入力された、測光領域に位置するタッチスポットを取得する。
【００２５】
ステップＳ２０２において、タッチパネルで表示される画像全体において、上記タッチスポットを含む初期測光領域を特定する。
【００２６】
ステップＳ２０３において、上記初期測光領域に含まれる画像を分割し、測光を行う必要のない背景領域と上記タッチスポットを含む最終的に測光領域となる目標領域とに分割する。
【００２７】
ステップＳ２０４において、上記目標領域内の画像スポットに対して測光を行う。
【００２８】
ステップＳ２０１において、タッチパネルで表示される画像全体における一部領域に対して測光を行う必要がある場合、ユーザがタッチパネルをクリックし、タッチスポットが測光領域に位置する。タッチスポットは、後で画像を分割するときに必要な重要な参考スポットである。
【００２９】
ステップＳ２０２において、端末は、タッチスポットに基づいて、タッチパネルで表示される画像全体において測光を行う必要のある初期測光領域を特定でき、タッチスポットが当該初期測光領域にある。
【００３０】
当該ステップにおいて、測光を行う必要のあるすべての画像スポットを初期測光範囲内に含ませるために、一般的に、当該タッチスポットを中心として、矩形領域を区画し、測光範囲が当該矩形領域内の画像スポットである。
【００３１】
しかし、上記初期測光範囲を特定する場合、矩形領域は、大体ユーザが本当に測光を行おうとする画像領域を超える。つまり、初期測光範囲に測光を行う必要のない領域が含まれ、この測光を行う必要のない領域、例えば、図１における左手の袖口と右手の袖口部位の服装部分の画像領域は、本当に測光を行う必要のある画像領域に影響を与えることが多く、最終的な測光結果が精確ではない。
【００３２】
このような問題を避けるために、本開示は、ステップＳ２０３において、分割アルゴリズムを利用して、初期測光領域に含まれる画像を分割し、最終的に初期測光領域を背景領域と目標領域の２つの部分に分割し、測光を行う必要のない領域を「背景領域」と定義し、タッチスポットを含む最終的に測光領域とする領域を「目標領域」と定義する。
【００３３】
当該ステップにおいて、画像を分割することで、測光を行う必要のない画像領域と測光を行う必要のある画像領域を区分し、本当に測光を行う必要のある画像領域を区画する。
【００３４】
ステップＳ２０４において、端末は、画像の分割を完成した後、本当に測光を行う必要のある目標領域内の画像スポットのみに対して測光を行う。
【００３５】
本開示の実施例において、測光を行う過程で、まず、ユーザにより入力された測光領域に位置するタッチスポットを取得し、そして、タッチパネルで表示される画像全体において上記タッチスポットを含む初期測光領域を特定し、初期測光領域に含まれる画像を分割することにより、測光を行う必要のない背景領域と上記タッチスポットを含む最終的に測光領域となる目標領域とに分割し、最終的に、目標領域内の画像スポットに対して測光を行う。初期測光領域を測光を行う必要のない背景領域と上記タッチスポットを含む最終的に測光領域となる目標領域とに分割し、最終的に目標領域内の画像スポットのみに対して測光を行うため、測光のときに背景領域内の画像スポットが目標領域内の画像スポットに対して必要のない影響を与えることを避けられ、目標領域内の画像スポットに対して測光を行う精確性を大幅に向上させる。
【００３６】
本開示の技術案を容易に理解するために、以下、上記画像の分割過程について、さらに詳細に説明する。
【００３７】
伝統的なスポット測光の範囲がプレビュー画像全体の１〜３％を占め、且つこの割合が具体的な機器に対応するもので、固定の値である。本開示において、目標合焦領域を最大限にカバーするため、測光範囲を適当に拡大し、１〜８％にする。図３に示すように、辺長がＬの正方形領域が初期測光領域である。当該正方形は、タッチスポットを中心とし、辺長Ｌの計算公式は、下記のようである。
【００３８】
Ｌ ＝ ｓｑｒｔ（Ｗ＊Ｈ＊８／１００）
上式において、Ｈは、プレビュー画像の長さであり、Ｗは、プレビュー画像の幅である。
【００３９】
伝統的な処理方法との相違点は、本開示において、最終的に測光領域となる目標領域が必ずしも初期測光領域ではなく、初期測光領域に対して図形を分割する結果に基づいて、最終的に目標領域を特定する必要がある。
【００４０】
本開示の画像分割方法を説明する前に、まず、後述のいくつかの用語に対して解釈する。
【００４１】
１、隣接スポット：本開示において、１つの画像スポットの隣接スポットは、当該スポットの上下左右の４つの方向に位置するスポットを指す。
【００４２】
２、色距離：仮に２つの画像スポットをＰ１、Ｐ２と設定し、Ｐ１に対応するＲＧＢ色値がＰ１（ｒ１，ｇ１，ｂ１）で、Ｐ２に対応するＲＧＢ色値がＰ２（ｒ２，ｇ２，ｂ２）であり、ａｂｓが絶対値関数であり、ｒ ＝ ａｂｓ（ｒ１−ｒ２）、ｇ ＝ ａｂｓ（ｇ１−ｇ２）、ｂ ＝ ａｂｓ（ｂ１−ｂ２）となる。Ｐ１とＰ２との間の色距離は、ｒ、ｇ及びｂの中の最大の値である。
一般的に、ＲＧＢの範囲が［０，２５５］であり、２つの画像スポットの間の色距離の範囲が同様に［０，２５５］となる。
【００４３】
３、分割スポット：本開示において、当該スポットは、目標領域及び背景領域の両方に交わる画像スポットである。
【００４４】
４、付与済みスポット：属性決定済みの画像スポットであり、本開示において、付与済みスポットの属性は、目標領域スポット（タッチスポットを含む）、背景領域スポット（初期測光領域の画像境界スポットを含む）、及び分割スポットの３つのタイプに分けられる。
【００４５】
５、付与待ちスポット：付与済みスポットと上下左右に隣接する、その属性が決定されようとする画像スポットである。
【００４６】
本開示の好ましい実施例において、上記ステップＳ２０３の具体的な実施形態は、図４に示すように、当該画像分割フローは、以下の実行ステップを含む。
【００４７】
ステップＳ４０１において、上記タッチスポットと上下左右方向に隣接する属性付与待ちの付与待ちスポットと上記タッチスポットとの間の色距離を計算し、上記初期測光領域の画像境界スポットと隣接する属性付与待ちの付与待ちスポットと上記画像境界スポットとの間の色距離を計算し、上記属性は、目標領域スポット、背景領域スポット或いは分割スポットを含む。
【００４８】
ステップＳ４０２において、最小の色距離に対応する第１の付与待ちスポット及び隣接する第１の付与済みスポットを取得する。
【００４９】
ステップＳ４０３において、上記第１の付与待ちスポットと上下左右方向に隣接する付与済みスポットの属性に基づいて、上記第１の付与待ちスポットの属性を決定し、第２の付与済みスポットを生成する。
【００５０】
当該実施例において、初期の目標領域スポットは、タッチスポットであり、初期の背景領域スポットは、初期測光領域内の画像境界上の全てのスポットであり、初期の付与待ちスポットは、初期の目標領域と隣接する画像スポット、及び初期の背景領域と隣接する画像スポットである。よって、第１の付与待ちスポットの属性は、目標領域スポット或いは背景領域スポットとしかならない。
【００５１】
ステップＳ４０４において、上記第１の付与待ちスポットと上下左右方向に隣接する付与済みスポットの属性に基づいて、上記第１の付与待ちスポットの属性を決定し、第２の付与済みスポットを生成する。
【００５２】
ステップＳ４０５において、最小の色距離に対応する第Ｎの付与待ちスポットを取得する。
【００５３】
ステップＳ４０６において、全ての上記付与待ちスポットの属性を決定するまで、上記第Ｎの付与待ちスポットと上下左右方向に隣接する付与済みスポットの属性に基づいて、上記第Ｎの付与待ちスポットの属性を決定する。
【００５４】
当該ステップにおいて、第Ｎの付与済みスポットの属性は、目標領域スポット、背景領域スポット或いは分割スポットを含み、対応的に、第Ｎの付与待ちスポットの属性は、目標領域スポット、背景領域スポット或いは分割スポットを含む。
【００５５】
全ての付与待ちスポットの属性を決定した後、目標領域スポットが目標領域を構成し、背景領域スポットが背景領域を構成し、目標領域と背景領域とが分割スポットにより分割される。
【００５６】
説明すべきことは、上記画像分割フローにおいて、上記第Ｎの付与待ちスポットと上下左右方向に隣接する付与済みスポットの属性に基づいて、第Ｎの付与待ちスポットの属性を決定する具体的な実施形態は、図５に示したフローのようであり、以下のステップを含む。
【００５７】
ステップＳ５０１において、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、続いてステップＳ５０２を実行し、さもなければ、続いてステップＳ５０３を実行する。
【００５８】
ステップＳ５０２において、上記第Ｎの付与待ちスポットを分割スポットと決定する。
【００５９】
ステップＳ５０３において、上記第Ｎの付与待ちスポットと上下左右方向に隣接する付与済みスポットが目標領域スポットのみであるか否かを判断し、目標領域スポットのみであると、続いてステップＳ５０４を実行し、さもなければ、続いてステップＳ５０５を実行する。
【００６０】
ステップＳ５０４において、上記第Ｎの付与待ちスポットを目標領域スポットと決定する。
【００６１】
ステップＳ５０５において、上記第Ｎの付与待ちスポットを背景領域スポットと決定する。
【００６２】
当該実施形態によれば、各付与待ちスポットの属性を正確に決定でき、後に行う測光の精確性を大幅に向上させる。
【００６３】
以下、具体的な適用場面を用いて上記測光方法を説明する。同じく図１に示す撮影場面を例とし、ユーザがタッチパネル上の人物の左手（図における白いスポット位置）をクリックし、手を測光スポットとする場合、端末システムは、まず、図６に示すように、タッチスポットを含む初期測光領域を決定する。図６に示した初期測光領域において、ユーザが測光しようとする左手画像を含む以外、左手の袖口と右手の袖口部位の服装部分も含まれる。よって、初期測光領域に含まれる画像に対して分割を行う必要があり、測光を行う必要のない背景領域と上記タッチスポットを含む最終的に測光領域となる目標領域とに分割する。上記の画像分割フローにより、最終的に、図７に示すように、図６に対して画像分割した後に得られた分割スポットを図１にて再現し、全ての分割スポットからなる分割ラインが人物の左手領域を比較的精確に区画できる。最終的に、図７において区画された左手領域内の画像スポットに対して測光を行い、これにより、服装部分の色が左手の肌色と大きく異なる場合に最終の測光結果に影響を与えることを避け、測光の精確性を大幅に向上させる。
【００６４】
図８は、例示的な実施例における測光装置を模式的に示す図である。図８を参照し、当該装置は、以下のモジュールを含む。
【００６５】
タッチスポット取得モジュール８１は、ユーザにより入力された測光領域に位置するタッチスポットを取得する。
【００６６】
初期測光領域特定モジュール８２は、タッチパネルで表示される画像全体において上記タッチスポットを含む初期測光領域を特定する。
【００６７】
画像分割モジュール８３は、上記初期測光領域に含まれる画像に対して分割を行い、測光を行う必要のない背景領域と上記タッチスポットを含む最終に測光領域となる目標領域とに分割する。
【００６８】
測光モジュール８４は、上記目標領域内の画像スポットに対して測光を行う。
【００６９】
本開示の実施例において、測光を行う過程で、まず、ユーザにより入力された測光領域に位置するタッチスポットを取得し、そして、タッチパネルで表示される画像全体において上記タッチスポットを含む初期測光領域を特定し、初期測光領域に含まれる画像を分割することにより、測光を行う必要のない背景領域と上記タッチスポットを含む最終的に測光領域となる目標領域とに分割し、最終的に、目標領域内の画像スポットに対して測光を行う。初期測光領域を測光を行う必要のない背景領域と上記タッチスポットを含む最終的に測光領域となる目標領域とに分割し、最終的に目標領域内の画像スポットのみに対して測光を行うため、測光のときに背景領域内の画像スポットが目標領域内の画像スポットに対して必要のない影響を与えることを避けられ、目標領域内の画像スポットに対して測光を行う精確性を大幅に向上させる。
【００７０】
伝統的なスポット測光の範囲がプレビュー画像全体の１〜３％を占め、且つこの割合が具体的な機器に対応するもので、固定の値である。本開示において、目標合焦領域を最大限にカバーするため、測光範囲を適当に拡大し、１〜８％にする。
【００７１】
伝統的な処理方法との相違点は、本開示において、最終的に測光領域となる目標領域が必ずしも初期測光領域ではなく、初期測光領域に対して図形を分割する結果に基づいて、最終的に目標領域を特定する必要がある。
【００７２】
本開示の好ましい実施例において、画像分割モジュールの実施形態は、図９に示すように、以下のユニットを含む。
【００７３】
第１の色距離計算ユニット９０１は、上記タッチスポットと上下左右方向に隣接する属性付与待ちの付与待ちスポットと上記タッチスポットとの間の色距離を計算し、上記初期測光領域の画像境界スポットと隣接する属性付与待ちの付与待ちスポットと上記画像境界スポットとの間の色距離を計算し、上記属性は、目標領域スポット、背景領域スポット或いは分割スポットを含む。
【００７４】
第１の付与待ちスポット取得ユニット９０２は、最小の色距離に対応する第１の付与待ちスポットを取得する。
【００７５】
第１の付与待ちスポット属性決定ユニット９０３は、上記第１の付与待ちスポットと上下左右方向に隣接する付与済みスポットの属性に基づいて、上記第１の付与待ちスポットの属性を決定し、第２の付与済みスポットを生成する。
【００７６】
第Ｎの色距離計算ユニット９０４は、上記第Ｎ（Ｎが２以上の自然数）の付与済みスポットと上下左右方向に隣接する属性付与待ちの付与待ちスポットと上記第Ｎの付与済みスポットとの間の色距離を計算する。
【００７７】
第Ｎの付与待ちスポット取得ユニット９０５は、最小の色距離に対応する第Ｎの付与待ちスポットを取得する。
【００７８】
第Ｎの付与待ちスポット属性決定ユニット９０６は、全ての上記付与待ちスポットの属性を決定するまで、上記第Ｎの付与待ちスポットと上下左右方向に隣接する付与済みスポットの属性に基づいて、上記第Ｎの付与待ちスポットの属性を決定する。
【００７９】
なお、上記目標領域スポットが上記目標領域を構成し、上記背景領域スポットが上記背景領域を構成し、上記目標領域と上記背景領域とが上記分割スポットにより分割される。
本開示の他の好ましい実施例において、上記第Ｎの付与待ちスポット属性決定ユニットの実施形態は、図１０に示すように、以下のサブユニットを含む。
【００８０】
第１の判断サブユニット１００１は、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、分割スポット決定サブユニット１００２をトリガーし、さもなければ、第２の判断サブユニット１００３をトリガーする。
【００８１】
上記分割スポット決定サブユニット１００２は、目標領域スポット及び背景領域スポットとも含むと、上記第Ｎの付与待ちスポットを分割スポットと決定する。
【００８２】
上記第２の判断サブユニット１００３は、上記第Ｎの付与待ちスポットと上下左右方向に隣接する付与済みスポットが目標領域スポットのみであるか否かを続けて判断し、目標領域スポットのみであると、目標領域スポット決定サブユニット１００４をトリガーし、さもなければ、背景領域スポットサブユニット１００５をトリガーする。
【００８３】
上記目標領域スポット決定サブユニット１００４は、上記第Ｎの付与待ちスポットを目標領域スポットと決定する。
【００８４】
上記背景領域スポットサブユニット１００５は、上記第Ｎの付与待ちスポットを背景領域スポットと決定する。
【００８５】
当該実施形態によれば、各付与待ちスポットの属性を正確に決定でき、後に行う測光の精確性を大幅に向上させる。
【００８６】
上記実施例における装置に関して、各モジュールが操作を実行する具体的な形態は、既に当該方法に係る実施例で詳細に説明したため、ここで、詳細に説明しない。
【００８７】
図１１は、例示的な実施例における光を測定するための装置８００のブロック図である。例えば、装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００８８】
図１１を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００８９】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００９０】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（ＥｒａｓａｂｌｅＰｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９１】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００９２】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９３】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００９４】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９５】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９６】
通信アセンブリ８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【００９７】
例示的な実施例において、装置８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９８】
例示的な実施例において、さらに、命令を含む非一時的なコンピュータで読み取り可能な記憶媒体、例えば命令を含むメモリ８０４を提供しており、装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（ＣｏｍｐａｃｔＤｉｓｃ ＲＯＭ）、磁気テープ、フロッピーディスク、光データ記憶デバイス等である。
【００９９】
非一時的なコンピュータで読み取り可能な記憶媒体は、当該記録媒体中の指令がモバイル端末のプロセッサによって実行される際に、移動端末に測光方法を実行させ、上記方法は、
ユーザにより入力された測光領域に位置するタッチスポットを取得するステップと、
タッチパネルで表示される画像全体において上記タッチスポットを含む初期測光領域を特定するステップと、
上記初期測光領域に含まれる画像を分割し、測光を行う必要のない背景領域と上記タッチスポットを含む最終的に測光領域となる目標領域とに分割するステップと、
上記目標領域内の画像点に対して測光を行うステップと、を含む。
【０１００】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１０１】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2016535307.tif 000003
【図２】
2016535307.tif 000004
【図３】
2016535307.tif 000005
【図４】
2016535307.tif 000006
【図５】
2016535307.tif 000007
【図６】
2016535307.tif 000008
【図７】
2016535307.tif 000009
【図８】
2016535307.tif 000010
【図９】
2016535307.tif 000011
【図１０】
2016535307.tif 000012
【図１１】
2016535307.tif 000013
【手続補正書】
【提出日】平成27年1月16日(2015.1.16)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０３７３７１７．０であって、出願日が２０１４年７月３１日である中国特許出願に基づき優先権を主張し、当該中国特許出願のすべての内容を本願に援用する。
【技術分野】
【０００２】
本開示は、端末技術分野に関し、特に、測光方法、測光装置、端末、プログラム及び記録媒体に関する。
【背景技術】
【０００３】
測光は、被写体の輝度を測定する過程であり、カメラが自動的に露出することによりフィルムに現像する基礎であり、精確な測光及び正確な測光方式の選択は、撮影創作の起点となる。
【０００４】
デジタルカメラを例として、デジタルカメラの測光システムの測光方式は、一般的にＴＴＬ（ＴｈｒｏｕｇｈＴｈｅ Ｌｅｎｓ）を採用する。測光センサーは、撮影光路に置かれ、反射ミラーから測光素子に反射された光に対して測光を行う。測定した光の強度データがカメラのプロセッサに伝送され、自動露出による計算がされた後、露出の組み合わせ、即ち、撮影の絞り及びシャッター速度の組み合わせを決定する。測光方式は、測光センサーが撮影範囲内で測定する異なる領域、面積の大きさ及び計算用重みの差異に基づいて、平均測光、中央重点測光、スポット測光、マトリックス測光等のモードに分けられる。
【０００５】
なお、スポット測光（Ｓｐｏｔ ｍｅｔｅｒｉｎｇ）の測光範囲は、ファインダー画面中央の画面全体の面積の約１〜３％を占める領域である。スポット測光は、基本的に測光領域外の他の景物の輝度により影響されない。よって、スポット測光を利用して被写体或いは背景の各領域を便利に検出できる。
【０００６】
タッチパネル技術の成熟及びそれの幅広い応用に伴って、タッチパネルが搭載されたカメラ及びスマートフォンにおいて、ユーザは、必ずしも中央の位置を選択する必要はなく、プレビュー画面上の任意のスポットをクリックすることによりピント合わせの位置を選択でき、スポット測光の作用及び容易性を大幅に向上させた。
【０００７】
スポット測光の従来技術において、まず、測光スポットを確認し、測光スポットは、プレビュー画面の中央スポットであってもよく、或いはユーザがタッチパネルを介して選択されたプレビュー画面上の任意のスポットであってもよい。そして、当該測光スポットを中心に矩形或いは円形の領域を形成するが、当該領域が境界に当たれば中心領域に移動させるようにする。測光を行う場合、測光範囲は当該領域である。図１に示す撮影場面を例とし、ユーザがタッチパネル上の人物の左手（図における白いスポットの位置）をクリックし、手を測光スポットとする場合、測光領域は、図における白枠領域である。
【０００８】
しかしながら、上記スポット測光の技術案において、実際の測光結果がユーザの本意と大きく異なる可能性がある。図１に示すように、ユーザがもともと左手の皮膚領域を測光範囲として測光を行おうとしたが、実際の測光範囲が左手の皮膚領域と共に左手の袖口と右手の袖口部位の服装部分を含む。服装部分の輝度が測光範囲における左手の肌色の輝度と近い場合、服装部分が最終的な測光結果に対する影響が少ないが、服装部分の色が左手の肌色と大きく異なる場合、最終的な測光結果に対して大きい影響を与え、この場合、測光結果により露出の組み合わせを調整した後のイメージの輝度が予想より暗くなる。
【発明の概要】
【０００９】
従来技術において存在する問題を解決するために、本開示は、測光方法、測光装置、端末、プログラム及び記録媒体を提供し、測光の精確性を向上させることができる。
【００１０】
本開示の実施例の第１方面によれば、測光方法を提供し、当該測光方法は、
ユーザにより入力された、測光領域に位置するタッチスポットを取得するステップと、
タッチパネルで表示される画像全体において、上記タッチスポットを含む初期測光領域を特定するステップと、
上記初期測光領域に含まれる画像を分割し、測光を行う必要のない背景領域と上記タッチスポットを含む最終的に測光領域となる目標領域とに分割するステップと、
上記目標領域内の画像点に対して測光を行うステップと、を含む。
【００１１】
さらに、上記初期測光領域に含まれる画像を分割し、測光を行う必要のない背景領域と上記タッチスポットを含む最終的に測光領域となる目標領域とに分割するステップは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するステップと、
最小の色距離に対応する第１の付与待ちスポットを取得するステップと、
上記第１の付与待ちスポットと上下左右方向に隣接する付与済みスポットの属性に基づいて、上記第１の付与待ちスポットの属性を決定し、第２の付与済みスポットを生成するステップと、
上記第Ｎ（Ｎが２以上の自然数）の付与済みスポットと上下左右方向に隣接する属性付与待ちの付与待ちスポットと上記第Ｎの付与済みスポットとの間の色距離を計算するステップと、
最小の色距離に対応する第Ｎの付与待ちスポットを取得するステップと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するステップと、を含む。
【００１２】
さらに、上記第Ｎの付与待ちスポットと上下左右方向に隣接する付与済みスポットの属性に基づいて、上記第Ｎの付与待ちスポットの属性を決定するステップは、
上記第Ｎの付与待ちスポットと上下左右方向に隣接する付与済みスポットが目標領域スポット及び背景領域スポットの両方とも含むか否かを判断するステップと、
目標領域スポット及び背景領域スポットの両方とも含むと、上記第Ｎの付与待ちスポットを分割スポットと決定し、さもなければ、続いて、上記第Ｎの付与待ちスポットと上下左右方向に隣接する付与済みスポットが目標領域スポットのみであるか否かを判断するステップと、
目標領域スポットのみであると、上記第Ｎの付与待ちスポットを目標領域スポットと決定し、さもなければ、上記第Ｎの付与待ちスポットを背景領域スポットと決定するステップとを含む。
【００１３】
さらに、上記のタッチパネルで表示される画像全体において、上記タッチスポットを含む初期測光領域を特定するステップは、
上記タッチパネルで表示される画像全体において、上記タッチスポットを含む１〜８％の領域を上記初期測光領域として特定するステップを含む。
【００１４】
本開示の実施例の第２方面によれば、測光装置を提供し、当該測光装置は、
ユーザにより入力された、測光領域に位置するタッチスポットを取得するためのタッチスポット取得モジュールと、
タッチパネルで表示される画像全体において、上記タッチスポットを含む初期測光領域を特定するための初期測光領域特定モジュールと、
上記初期測光領域に含まれる画像を分割し、測光を行う必要のない背景領域と上記タッチスポットを含む最終的に測光領域となる目標領域とに分割するための画像分割モジュールと、
上記目標領域内の画像点に対して測光を行うための測光モジュールとを含む。
【００１５】
さらに、上記画像分割モジュールは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するための第１の色距離計算ユニットと、
最小の色距離に対応する第１の付与待ちスポットを取得するための第１の付与待ちスポット取得ユニットと、
上記第１の付与待ちスポットと上下左右方向に隣接する付与済みスポットの属性に基づいて、上記第１の付与待ちスポットの属性を決定し、第２の付与済みスポットを生成するための第１の付与待ちスポット属性決定ユニットと、
上記第Ｎ（Ｎが２以上の自然数）の付与済みスポットと上下左右方向に隣接する属性付与待ちの付与待ちスポットと上記第Ｎの付与済みスポットとの間の色距離を計算するための第Ｎの色距離計算ユニットと、
最小の色距離に対応する第Ｎの付与待ちスポットを取得するための第Ｎの付与待ちスポット取得ユニットと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するための第Ｎの付与待ちスポット属性決定ユニットと、を含む。
【００１６】
さらに、上記第Ｎの付与待ちスポット属性決定ユニットは、第１の判断サブユニット、分割スポット決定サブユニット、第２の判断サブユニット、目標領域スポット決定サブユニット及び背景領域スポットサブユニットを含み、
第１の判断サブユニットは、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、分割スポット決定サブユニットをトリガーし、さもなければ、第２の判断サブユニットをトリガーし、
上記分割スポット決定サブユニットは、目標領域スポット及び背景領域スポットの両方とも含むと、上記第Ｎの付与待ちスポットを分割スポットと決定し、
上記第２の判断サブユニットは、続いて、上記第Ｎの付与待ちスポットと上下左右方向に隣接する付与済みスポットが目標領域スポットのみであるか否かを判断し、目標領域スポットのみであると、目標領域スポット決定サブユニットをトリガーし、さもなければ、背景領域スポットサブユニットをトリガーし、
上記目標領域スポット決定サブユニットは、上記第Ｎの付与待ちスポットを目標領域スポットと決定し、
上記背景領域スポットサブユニットは、上記第Ｎの付与待ちスポットを背景領域スポットと決定する。
【００１７】
さらに、上記初期測光領域特定モジュールは、上記初期測光領域特定モジュールは、上記タッチパネルで表示される画像全体において、上記タッチスポットを含む１〜８％の領域を上記初期測光領域として特定する。
【００１８】
本開示の実施例の第３方面によれば、端末を提供し、当該端末は、
プロセッサと、
プロセッサが実行可能な指令を記憶するためのメモリと、を含み、
上記プロセッサは、
ユーザにより入力された、測光領域に位置するタッチスポットを取得し、
タッチパネルで表示される画像全体において、上記タッチスポットを含む初期測光領域を特定し、
上記初期測光領域に含まれる画像を分割し、測光を行う必要のない背景領域と上記タッチスポットを含む最終的に測光領域となる目標領域とに分割し、
上記目標領域内の画像点に対して測光を行うように配置される。
【００１９】
本開示の実施例の第４方面によれば、プロセッサに実行されることにより、上記測光方法を実現するプログラムを提供する。
【００２０】
本開示の実施例の第５方面によれば、上記プログラムを記録した記録媒体を提供する。
【００２１】
本開示の実施例が提供する技術案は、以下の有益な効果を含む。測光を行う過程で、まず、ユーザにより入力された測光領域に位置するタッチスポットを取得し、そして、タッチパネルで表示される画像全体において上記タッチスポットを含む初期測光領域を特定し、初期測光領域に含まれる画像を分割することにより、測光を行う必要のない背景領域と上記タッチスポットを含む最終的に測光領域となる目標領域とに分割し、最終的に、目標領域内の画像スポットに対して測光を行う。初期測光領域を測光を行う必要のない背景領域と上記タッチスポットを含む最終的に測光領域となる目標領域とに分割し、最終的に目標領域内の画像スポットのみに対して測光を行うため、測光のときに背景領域内の画像スポットが目標領域内の画像スポットに対して必要のない影響を与えることを避けられ、目標領域内の画像スポットに対して測光を行う精確性を大幅に向上させる。
【００２２】
以上の一般的な記述及び以下の詳細な記述は、例示のものに過ぎず、本開示を限定するものではないと理解すべきである。
【図面の簡単な説明】
【００２３】
ここでの図面は、明細書の一部分として明細書全体を構成することにより、本開示に合致する実施例を例示するとともに、本開示の原理を解釈するためのものである。
【図１】本開示における１つの撮影場面を示す模式的な図である。
【図２】本開示の実施例における測光方法を示す例示的なフローチャートである。
【図３】本開示における初期測光領域を示す模式的な図である。
【図４】本開示におけるステップＳ２０３を実現する模式的なフローチャートである。
【図５】本開示における第Ｎの付与待ちスポットの属性を決定する模式的なフローチャートである。
【図６】本開示における図１における初期測光領域を決定する模式的な図である。
【図７】本開示における図１における目標領域を決定する模式的な図である。
【図８】本開示の実施例の測光装置のブロック図である。
【図９】図８における画像分割モジュールを実現する構造を示す模式的な図である。
【図１０】図９における第Ｎの付与待ちスポット属性決定ユニットを実現する構造を示す模式的な図である。
【図１１】本開示の実施例における端末機器の実施例のブロック図である。
【発明を実施するための形態】
【００２４】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２５】
図２は、例示的な実施例における測光方法を示すフローチャートであり、図２に示すように、測光方法は、端末に適用され、以下のステップを含む。
【００２６】
ステップＳ２０１において、ユーザにより入力された、測光領域に位置するタッチスポットを取得する。
【００２７】
ステップＳ２０２において、タッチパネルで表示される画像全体において、上記タッチスポットを含む初期測光領域を特定する。
【００２８】
ステップＳ２０３において、上記初期測光領域に含まれる画像を分割し、測光を行う必要のない背景領域と上記タッチスポットを含む最終的に測光領域となる目標領域とに分割する。
【００２９】
ステップＳ２０４において、上記目標領域内の画像スポットに対して測光を行う。
【００３０】
ステップＳ２０１において、タッチパネルで表示される画像全体における一部領域に対して測光を行う必要がある場合、ユーザがタッチパネルをクリックし、タッチスポットが測光領域に位置する。タッチスポットは、後で画像を分割するときに必要な重要な参考スポットである。
【００３１】
ステップＳ２０２において、端末は、タッチスポットに基づいて、タッチパネルで表示される画像全体において測光を行う必要のある初期測光領域を特定でき、タッチスポットが当該初期測光領域にある。
【００３２】
当該ステップにおいて、測光を行う必要のあるすべての画像スポットを初期測光範囲内に含ませるために、一般的に、当該タッチスポットを中心として、矩形領域を区画し、測光範囲が当該矩形領域内の画像スポットである。
【００３３】
しかし、上記初期測光範囲を特定する場合、矩形領域は、大体ユーザが本当に測光を行おうとする画像領域を超える。つまり、初期測光範囲に測光を行う必要のない領域が含まれ、この測光を行う必要のない領域、例えば、図１における左手の袖口と右手の袖口部位の服装部分の画像領域は、本当に測光を行う必要のある画像領域に影響を与えることが多く、最終的な測光結果が精確ではない。
【００３４】
このような問題を避けるために、本開示は、ステップＳ２０３において、分割アルゴリズムを利用して、初期測光領域に含まれる画像を分割し、最終的に初期測光領域を背景領域と目標領域の２つの部分に分割し、測光を行う必要のない領域を「背景領域」と定義し、タッチスポットを含む最終的に測光領域とする領域を「目標領域」と定義する。
【００３５】
当該ステップにおいて、画像を分割することで、測光を行う必要のない画像領域と測光を行う必要のある画像領域を区分し、本当に測光を行う必要のある画像領域を区画する。
【００３６】
ステップＳ２０４において、端末は、画像の分割を完成した後、本当に測光を行う必要のある目標領域内の画像スポットのみに対して測光を行う。
【００３７】
本開示の実施例において、測光を行う過程で、まず、ユーザにより入力された測光領域に位置するタッチスポットを取得し、そして、タッチパネルで表示される画像全体において上記タッチスポットを含む初期測光領域を特定し、初期測光領域に含まれる画像を分割することにより、測光を行う必要のない背景領域と上記タッチスポットを含む最終的に測光領域となる目標領域とに分割し、最終的に、目標領域内の画像スポットに対して測光を行う。初期測光領域を測光を行う必要のない背景領域と上記タッチスポットを含む最終的に測光領域となる目標領域とに分割し、最終的に目標領域内の画像スポットのみに対して測光を行うため、測光のときに背景領域内の画像スポットが目標領域内の画像スポットに対して必要のない影響を与えることを避けられ、目標領域内の画像スポットに対して測光を行う精確性を大幅に向上させる。
【００３８】
本開示の技術案を容易に理解するために、以下、上記画像の分割過程について、さらに詳細に説明する。
【００３９】
伝統的なスポット測光の範囲がプレビュー画像全体の１〜３％を占め、且つこの割合が具体的な機器に対応するもので、固定の値である。本開示において、目標合焦領域を最大限にカバーするため、測光範囲を適当に拡大し、１〜８％にする。図３に示すように、辺長がＬの正方形領域が初期測光領域である。当該正方形は、タッチスポットを中心とし、辺長Ｌの計算公式は、下記のようである。
【００４０】
Ｌ ＝ ｓｑｒｔ（Ｗ＊Ｈ＊８／１００）
上式において、Ｈは、プレビュー画像の長さであり、Ｗは、プレビュー画像の幅である。
【００４１】
伝統的な処理方法との相違点は、本開示において、最終的に測光領域となる目標領域が必ずしも初期測光領域ではなく、初期測光領域に対して図形を分割する結果に基づいて、最終的に目標領域を特定する必要がある。
【００４２】
本開示の画像分割方法を説明する前に、まず、後述のいくつかの用語に対して解釈する。
【００４３】
１、隣接スポット：本開示において、１つの画像スポットの隣接スポットは、当該スポットの上下左右の４つの方向に位置するスポットを指す。
【００４４】
２、色距離：仮に２つの画像スポットをＰ１、Ｐ２と設定し、Ｐ１に対応するＲＧＢ色値がＰ１（ｒ１，ｇ１，ｂ１）で、Ｐ２に対応するＲＧＢ色値がＰ２（ｒ２，ｇ２，ｂ２）であり、ａｂｓが絶対値関数であり、ｒ＝ ａｂｓ（ｒ１−ｒ２）、ｇ＝ ａｂｓ（ｇ１−ｇ２）、ｂ＝ ａｂｓ（ｂ１−ｂ２）となる。Ｐ１とＰ２との間の色距離は、ｒ、ｇ及びｂの中の最大の値である。
一般的に、ＲＧＢの範囲が［０，２５５］であり、２つの画像スポットの間の色距離の範囲が同様に［０，２５５］となる。
【００４５】
３、分割スポット：本開示において、当該スポットは、目標領域及び背景領域の両方に交わる画像スポットである。
【００４６】
４、付与済みスポット：属性決定済みの画像スポットであり、本開示において、付与済みスポットの属性は、目標領域スポット（タッチスポットを含む）、背景領域スポット（初期測光領域の画像境界スポットを含む）、及び分割スポットの３つのタイプに分けられる。
【００４７】
５、付与待ちスポット：付与済みスポットと上下左右に隣接する、その属性が決定されようとする画像スポットである。
【００４８】
本開示の好ましい実施例において、上記ステップＳ２０３の具体的な実施形態は、図４に示すように、当該画像分割フローは、以下の実行ステップを含む。
【００４９】
ステップＳ４０１において、上記タッチスポットと上下左右方向に隣接する属性付与待ちの付与待ちスポットと上記タッチスポットとの間の色距離を計算し、上記初期測光領域の画像境界スポットと隣接する属性付与待ちの付与待ちスポットと上記画像境界スポットとの間の色距離を計算し、上記属性は、目標領域スポット、背景領域スポット或いは分割スポットを含む。
【００５０】
ステップＳ４０２において、最小の色距離に対応する第１の付与待ちスポット及び隣接する第１の付与済みスポットを取得する。
【００５１】
ステップＳ４０３において、上記第１の付与待ちスポットと上下左右方向に隣接する付与済みスポットの属性に基づいて、上記第１の付与待ちスポットの属性を決定し、第２の付与済みスポットを生成する。
【００５２】
当該実施例において、初期の目標領域スポットは、タッチスポットであり、初期の背景領域スポットは、初期測光領域内の画像境界上の全てのスポットであり、初期の付与待ちスポットは、初期の目標領域と隣接する画像スポット、及び初期の背景領域と隣接する画像スポットである。よって、第１の付与待ちスポットの属性は、目標領域スポット或いは背景領域スポットとしかならない。
【００５３】
ステップＳ４０４において、上記第１の付与待ちスポットと上下左右方向に隣接する付与済みスポットの属性に基づいて、上記第１の付与待ちスポットの属性を決定し、第２の付与済みスポットを生成する。
【００５４】
ステップＳ４０５において、最小の色距離に対応する第Ｎの付与待ちスポットを取得する。
【００５５】
ステップＳ４０６において、全ての上記付与待ちスポットの属性を決定するまで、上記第Ｎの付与待ちスポットと上下左右方向に隣接する付与済みスポットの属性に基づいて、上記第Ｎの付与待ちスポットの属性を決定する。
【００５６】
当該ステップにおいて、第Ｎの付与済みスポットの属性は、目標領域スポット、背景領域スポット或いは分割スポットを含み、対応的に、第Ｎの付与待ちスポットの属性は、目標領域スポット、背景領域スポット或いは分割スポットを含む。
【００５７】
全ての付与待ちスポットの属性を決定した後、目標領域スポットが目標領域を構成し、背景領域スポットが背景領域を構成し、目標領域と背景領域とが分割スポットにより分割される。
【００５８】
説明すべきことは、上記画像分割フローにおいて、上記第Ｎの付与待ちスポットと上下左右方向に隣接する付与済みスポットの属性に基づいて、第Ｎの付与待ちスポットの属性を決定する具体的な実施形態は、図５に示したフローのようであり、以下のステップを含む。
【００５９】
ステップＳ５０１において、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、続いてステップＳ５０２を実行し、さもなければ、続いてステップＳ５０３を実行する。
【００６０】
ステップＳ５０２において、上記第Ｎの付与待ちスポットを分割スポットと決定する。
【００６１】
ステップＳ５０３において、上記第Ｎの付与待ちスポットと上下左右方向に隣接する付与済みスポットが目標領域スポットのみであるか否かを判断し、目標領域スポットのみであると、続いてステップＳ５０４を実行し、さもなければ、続いてステップＳ５０５を実行する。
【００６２】
ステップＳ５０４において、上記第Ｎの付与待ちスポットを目標領域スポットと決定する。
【００６３】
ステップＳ５０５において、上記第Ｎの付与待ちスポットを背景領域スポットと決定する。
【００６４】
当該実施形態によれば、各付与待ちスポットの属性を正確に決定でき、後に行う測光の精確性を大幅に向上させる。
【００６５】
以下、具体的な適用場面を用いて上記測光方法を説明する。同じく図１に示す撮影場面を例とし、ユーザがタッチパネル上の人物の左手（図における白いスポット位置）をクリックし、手を測光スポットとする場合、端末システムは、まず、図６に示すように、タッチスポットを含む初期測光領域を決定する。図６に示した初期測光領域において、ユーザが測光しようとする左手画像を含む以外、左手の袖口と右手の袖口部位の服装部分も含まれる。よって、初期測光領域に含まれる画像に対して分割を行う必要があり、測光を行う必要のない背景領域と上記タッチスポットを含む最終的に測光領域となる目標領域とに分割する。上記の画像分割フローにより、最終的に、図７に示すように、図６に対して画像分割した後に得られた分割スポットを図１にて再現し、全ての分割スポットからなる分割ラインが人物の左手領域を比較的精確に区画できる。最終的に、図７において区画された左手領域内の画像スポットに対して測光を行い、これにより、服装部分の色が左手の肌色と大きく異なる場合に最終の測光結果に影響を与えることを避け、測光の精確性を大幅に向上させる。
【００６６】
図８は、例示的な実施例における測光装置を模式的に示す図である。図８を参照し、当該装置は、以下のモジュールを含む。
【００６７】
タッチスポット取得モジュール８１は、ユーザにより入力された測光領域に位置するタッチスポットを取得する。
【００６８】
初期測光領域特定モジュール８２は、タッチパネルで表示される画像全体において上記タッチスポットを含む初期測光領域を特定する。
【００６９】
画像分割モジュール８３は、上記初期測光領域に含まれる画像に対して分割を行い、測光を行う必要のない背景領域と上記タッチスポットを含む最終に測光領域となる目標領域とに分割する。
【００７０】
測光モジュール８４は、上記目標領域内の画像スポットに対して測光を行う。
【００７１】
本開示の実施例において、測光を行う過程で、まず、ユーザにより入力された測光領域に位置するタッチスポットを取得し、そして、タッチパネルで表示される画像全体において上記タッチスポットを含む初期測光領域を特定し、初期測光領域に含まれる画像を分割することにより、測光を行う必要のない背景領域と上記タッチスポットを含む最終的に測光領域となる目標領域とに分割し、最終的に、目標領域内の画像スポットに対して測光を行う。初期測光領域を測光を行う必要のない背景領域と上記タッチスポットを含む最終的に測光領域となる目標領域とに分割し、最終的に目標領域内の画像スポットのみに対して測光を行うため、測光のときに背景領域内の画像スポットが目標領域内の画像スポットに対して必要のない影響を与えることを避けられ、目標領域内の画像スポットに対して測光を行う精確性を大幅に向上させる。
【００７２】
伝統的なスポット測光の範囲がプレビュー画像全体の１〜３％を占め、且つこの割合が具体的な機器に対応するもので、固定の値である。本開示において、目標合焦領域を最大限にカバーするため、測光範囲を適当に拡大し、１〜８％にする。
【００７３】
伝統的な処理方法との相違点は、本開示において、最終的に測光領域となる目標領域が必ずしも初期測光領域ではなく、初期測光領域に対して図形を分割する結果に基づいて、最終的に目標領域を特定する必要がある。
【００７４】
本開示の好ましい実施例において、画像分割モジュールの実施形態は、図９に示すように、以下のユニットを含む。
【００７５】
第１の色距離計算ユニット９０１は、上記タッチスポットと上下左右方向に隣接する属性付与待ちの付与待ちスポットと上記タッチスポットとの間の色距離を計算し、上記初期測光領域の画像境界スポットと隣接する属性付与待ちの付与待ちスポットと上記画像境界スポットとの間の色距離を計算し、上記属性は、目標領域スポット、背景領域スポット或いは分割スポットを含む。
【００７６】
第１の付与待ちスポット取得ユニット９０２は、最小の色距離に対応する第１の付与待ちスポットを取得する。
【００７７】
第１の付与待ちスポット属性決定ユニット９０３は、上記第１の付与待ちスポットと上下左右方向に隣接する付与済みスポットの属性に基づいて、上記第１の付与待ちスポットの属性を決定し、第２の付与済みスポットを生成する。
【００７８】
第Ｎの色距離計算ユニット９０４は、上記第Ｎ（Ｎが２以上の自然数）の付与済みスポットと上下左右方向に隣接する属性付与待ちの付与待ちスポットと上記第Ｎの付与済みスポットとの間の色距離を計算する。
【００７９】
第Ｎの付与待ちスポット取得ユニット９０５は、最小の色距離に対応する第Ｎの付与待ちスポットを取得する。
【００８０】
第Ｎの付与待ちスポット属性決定ユニット９０６は、全ての上記付与待ちスポットの属性を決定するまで、上記第Ｎの付与待ちスポットと上下左右方向に隣接する付与済みスポットの属性に基づいて、上記第Ｎの付与待ちスポットの属性を決定する。
【００８１】
なお、上記目標領域スポットが上記目標領域を構成し、上記背景領域スポットが上記背景領域を構成し、上記目標領域と上記背景領域とが上記分割スポットにより分割される。
本開示の他の好ましい実施例において、上記第Ｎの付与待ちスポット属性決定ユニットの実施形態は、図１０に示すように、以下のサブユニットを含む。
【００８２】
第１の判断サブユニット１００１は、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、分割スポット決定サブユニット１００２をトリガーし、さもなければ、第２の判断サブユニット１００３をトリガーする。
【００８３】
上記分割スポット決定サブユニット１００２は、目標領域スポット及び背景領域スポットとも含むと、上記第Ｎの付与待ちスポットを分割スポットと決定する。
【００８４】
上記第２の判断サブユニット１００３は、上記第Ｎの付与待ちスポットと上下左右方向に隣接する付与済みスポットが目標領域スポットのみであるか否かを続けて判断し、目標領域スポットのみであると、目標領域スポット決定サブユニット１００４をトリガーし、さもなければ、背景領域スポットサブユニット１００５をトリガーする。
【００８５】
上記目標領域スポット決定サブユニット１００４は、上記第Ｎの付与待ちスポットを目標領域スポットと決定する。
【００８６】
上記背景領域スポットサブユニット１００５は、上記第Ｎの付与待ちスポットを背景領域スポットと決定する。
【００８７】
当該実施形態によれば、各付与待ちスポットの属性を正確に決定でき、後に行う測光の精確性を大幅に向上させる。
【００８８】
上記実施例における装置に関して、各モジュールが操作を実行する具体的な形態は、既に当該方法に係る実施例で詳細に説明したため、ここで、詳細に説明しない。
【００８９】
図１１は、例示的な実施例における光を測定するための装置８００のブロック図である。例えば、装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００９０】
図１１を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００９１】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００９２】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ ＰｒｏｇｒａｍｍａｂｌｅＲｅａｄ Ｏｎｌｙ Ｍｅｍｏｒｙ）、ＰＲＯＭ（Ｐｒｏｇｒａｍｍａｂｌｅ ＲＯＭ）、ＲＯＭ（ＲｅａｄＯｎｌｙ Ｍｅｍｂｅｒ）、磁気メモリ、フラッシュメモリ、磁気ディスク、或いは光ディスクである。
【００９３】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００９４】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９５】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００９６】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９７】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９８】
通信アセンブリ８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（ＵｌｔｒａＷｉｄｅ Ｂａｎｄ）技術、ＢＴ（Ｂｌｕｅｔｏｏｔｈ）技術、他の技術に基づいて実現できる。
【００９９】
例示的な実施例において、装置８００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１００】
例示的な実施例において、さらに、命令を含む非一時的なコンピュータで読み取り可能な記憶媒体、例えば命令を含むメモリ８０４を提供しており、装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−ＡｃｃｅｓｓＭｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【０１０１】
非一時的なコンピュータで読み取り可能な記憶媒体は、当該記録媒体中の指令がモバイル端末のプロセッサによって実行される際に、移動端末に測光方法を実行させ、上記方法は、
ユーザにより入力された測光領域に位置するタッチスポットを取得するステップと、
タッチパネルで表示される画像全体において上記タッチスポットを含む初期測光領域を特定するステップと、
上記初期測光領域に含まれる画像を分割し、測光を行う必要のない背景領域と上記タッチスポットを含む最終的に測光領域となる目標領域とに分割するステップと、
上記目標領域内の画像点に対して測光を行うステップと、を含む。
【０１０２】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１０３】
本発明は、上記において開示された構成又は図面に示した構造に限定されるものではなく、本発明の範囲内であれば、様々な補正又は変更を行うことができる。本発明の範囲は、特許請求の範囲により制限される。
【手続補正２】
【補正対象書類名】特許請求の範囲
【補正対象項目名】全文
【補正方法】変更
【補正の内容】
【特許請求の範囲】
【請求項１】
ユーザにより入力された、測光領域に位置するタッチスポットを取得するステップと、
タッチパネルで表示される画像全体において、上記タッチスポットを含む初期測光領域を特定するステップと、
上記初期測光領域に含まれる画像を分割し、測光を行う必要のない背景領域と上記タッチスポットを含む最終的に測光領域となる目標領域とに分割するステップと、
上記目標領域内の画像点に対して測光を行うステップと、を含む
ことを特徴とする測光方法。
【請求項２】
上記初期測光領域に含まれる画像を分割し、測光を行う必要のない背景領域と上記タッチスポットを含む最終的に測光領域となる目標領域とに分割するステップは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するステップと、
最小の色距離に対応する第１の付与待ちスポットを取得するステップと、
上記第１の付与待ちスポットと上下左右方向に隣接する付与済みスポットの属性に基づいて、上記第１の付与待ちスポットの属性を決定し、第２の付与済みスポットを生成するステップと、
上記第Ｎ（Ｎが２以上の自然数）の付与済みスポットと上下左右方向に隣接する属性付与待ちの付与待ちスポットと上記第Ｎの付与済みスポットとの間の色距離を計算するステップと、
最小の色距離に対応する第Ｎの付与待ちスポットを取得するステップと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するステップと、を含む
ことを特徴とする請求項１に記載の方法。
【請求項３】
上記第Ｎの付与待ちスポットと上下左右方向に隣接する付与済みスポットの属性に基づいて、上記第Ｎの付与待ちスポットの属性を決定するステップは、
上記第Ｎの付与待ちスポットと上下左右方向に隣接する付与済みスポットが目標領域スポット及び背景領域スポットの両方とも含むか否かを判断するステップと、
目標領域スポット及び背景領域スポットの両方とも含むと、上記第Ｎの付与待ちスポットを分割スポットと決定し、さもなければ、続いて、上記第Ｎの付与待ちスポットと上下左右方向に隣接する付与済みスポットが目標領域スポットのみであるか否かを判断するステップと、
目標領域スポットのみであると、上記第Ｎの付与待ちスポットを目標領域スポットと決定し、さもなければ、上記第Ｎの付与待ちスポットを背景領域スポットと決定するステップとを含む
ことを特徴とする請求項２に記載の方法。
【請求項４】
上記のタッチパネルで表示される画像全体において、上記タッチスポットを含む初期測光領域を特定するステップは、
上記タッチパネルで表示される画像全体において、上記タッチスポットを含む１〜８％の領域を上記初期測光領域として特定するステップを含む
ことを特徴とする請求項１〜３の何れか一項に記載の方法。
【請求項５】
ユーザにより入力された、測光領域に位置するタッチスポットを取得するためのタッチスポット取得モジュールと、
タッチパネルで表示される画像全体において、上記タッチスポットを含む初期測光領域を特定するための初期測光領域特定モジュールと、
上記初期測光領域に含まれる画像を分割し、測光を行う必要のない背景領域と上記タッチスポットを含む最終的に測光領域となる目標領域とに分割するための画像分割モジュールと、
上記目標領域内の画像点に対して測光を行うための測光モジュールとを含む
ことを特徴とする測光装置。
【請求項６】
上記画像分割モジュールは、
上記タッチスポットと上下左右方向に隣接する属性付与待ちの付与待ちスポットと上記タッチスポットとの間の色距離を計算し、上記初期測光領域の画像境界スポットと隣接する、上記目標領域を構成する目標領域スポット、上記背景領域を構成する背景領域スポット、或いは上記目標領域と上記背景領域とを分割する分割スポットを含む属性付与待ちの付与待ちスポットと上記画像境界スポットとの間の色距離を計算するための第１の色距離計算ユニットと、
最小の色距離に対応する第１の付与待ちスポットを取得するための第１の付与待ちスポット取得ユニットと、
上記第１の付与待ちスポットと上下左右方向に隣接する付与済みスポットの属性に基づいて、上記第１の付与待ちスポットの属性を決定し、第２の付与済みスポットを生成するための第１の付与待ちスポット属性決定ユニットと、
上記第Ｎ（Ｎが２以上の自然数）の付与済みスポットと上下左右方向に隣接する属性付与待ちの付与待ちスポットと上記第Ｎの付与済みスポットとの間の色距離を計算するための第Ｎの色距離計算ユニットと、
最小の色距離に対応する第Ｎの付与待ちスポットを取得するための第Ｎの付与待ちスポット取得ユニットと、
全ての上記付与待ちスポットの属性を決定するまで、上記第Ｎの付与待ちスポットと上下左右方向に隣接する付与済みスポットの属性に基づいて、上記第Ｎの付与待ちスポットの属性を決定するための第Ｎの付与待ちスポット属性決定ユニットと、を含む
ことを特徴とする請求項５に記載の装置。
【請求項７】
上記第Ｎの付与待ちスポット属性決定ユニットは、第１の判断サブユニット、分割スポット決定サブユニット、第２の判断サブユニット、目標領域スポット決定サブユニット及び背景領域スポットサブユニットを含み、
第１の判断サブユニットは、上記第Ｎの付与待ちスポットと上下左右方向に隣接する付与済みスポットが目標領域スポット及び背景領域スポットの両方とも含むか否かを判断し、目標領域スポット及び背景領域スポットの両方とも含むと、分割スポット決定サブユニットをトリガーし、さもなければ、第２の判断サブユニットをトリガーし、
上記分割スポット決定サブユニットは、目標領域スポット及び背景領域スポットの両方とも含むと、上記第Ｎの付与待ちスポットを分割スポットと決定し、
上記第２の判断サブユニットは、続いて、上記第Ｎの付与待ちスポットと上下左右方向に隣接する付与済みスポットが目標領域スポットのみであるか否かを判断し、目標領域スポットのみであると、目標領域スポット決定サブユニットをトリガーし、さもなければ、背景領域スポットサブユニットをトリガーし、
上記目標領域スポット決定サブユニットは、上記第Ｎの付与待ちスポットを目標領域スポットと決定し、
上記背景領域スポットサブユニットは、上記第Ｎの付与待ちスポットを背景領域スポットと決定する
ことを特徴とする請求項６に記載の装置。
【請求項８】
上記初期測光領域特定モジュールは、上記タッチパネルで表示される画像全体において、上記タッチスポットを含む１〜８％の領域を上記初期測光領域として特定する
ことを特徴とする請求項５〜７の何れか一項に記載の装置。
【請求項９】
プロセッサと、
プロセッサが実行可能な指令を記憶するためのメモリと、を含み、
上記プロセッサは、
ユーザにより入力された、測光領域に位置するタッチスポットを取得し、
タッチパネルで表示される画像全体において、上記タッチスポットを含む初期測光領域を特定し、
上記初期測光領域に含まれる画像を分割し、測光を行う必要のない背景領域と上記タッチスポットを含む最終的に測光領域となる目標領域とに分割し、
上記目標領域内の画像点に対して測光を行うように配置される
ことを特徴とする端末。
【請求項１０】
プロセッサに実行されることにより、請求項１〜４のいずれか１項に記載の測光方法を実現することを特徴とするプログラム。
【請求項１１】
請求項１０に記載のプログラムが記録された記録媒体。
【国際調査報告】
2016535307.tif 000014
2016535307.tif 000015
2016535307.tif 000016
2016535307.tif 000017